(57)【要約】【課題】  出力特性のさらなる向上を図ることができる電磁弁を提供する。【解決手段】  ソレノイド通電時７１に、ソレノイド１５で励磁されるコア１６でプランジャ１７を吸引し、プランジャ１７の軸部３１に設けられた排出側弁４１でシート部材４２の排出側開口部５５を閉鎖し、入力側開口部６６を閉鎖した入力側弁６２を下方へ移動して入力側開口部６６を開放して、入力ポート６５からの油圧を出力ポート５３から出力する。ソレノイド非通電時７５には、入力ポート６５からの油圧で後退する入力側弁６２で入力側開口部６６を閉鎖し、入力側弁６２が固定された軸部３１でプランジャ１７をコア１６から離れる方向へ移動し、かつ排出側弁４１を後退して排出側開口部５５を開放し出力ポート５３の圧力をドレンポート３７から排出する。【選択図】        図１
2006125450.tif 000002
【特許請求の範囲】
【請求項１】
ソレノイド通電時に励磁されるコアでプランジャを吸引し、該プランジャの軸部に設けられた排出側弁でシート部材に設けられた貫通穴のドレンポート側の排出側開口部を閉鎖し、かつ前記貫通穴の前記入力ポート側の入力側開口部を閉鎖した入力側弁を前記貫通穴を貫通した前記軸部で移動して前記入力側開口部を開放し、前記入力ポートからの元圧を前記貫通穴に連通した出力穴を介して出力ポートから出力する一方、
ソレノイド非通電時には、前記入力ポートからの元圧を受けて後退する前記入力側弁によって前記入力側開口部を閉鎖し、前記軸部を介して前記プランジャを前記コアから離れる方向へ移動するとともに、前記軸部に設けられた前記排出側弁を後退して前記排出側開口部を開放し、前記出力ポートの圧力を前記ドレンポートから排出するように構成され、
前記ソレノイドに加えるオンオフ信号をデューティー制御して前記出力ポートからの出力圧を制御する電磁弁において、
前記軸部に前記入力側弁を固定し、前記元圧を受けた前記入力側弁が後退して前記シート部材に当接した状態で、前記軸部に設けられた前記プランジャの前記コアから離れる方向への移動量を規制したことを特徴とする電磁弁。
【発明の詳細な説明】
【技術分野】
【０００１】
本発明は、油圧を制御する電磁弁に関する。
【背景技術】
【０００２】
従来、自動車の自動変速機を構成する油圧経路には、図２に示すような電磁弁１０１が使用されている。
【０００３】
この電磁弁１０１のケーシング１１１内には、ソレノイド１１２が収容されており、該ソレノイド１１２の下部には、コア１１３が収容されている。該コア１１３の上部には、プランジャ１１４が収容されており、該プランジャ１１４は、前記ソレノイド１１２によって励磁されたコア１１３に吸引されるように構成されている。
【０００４】
このプランジャ１１４からは、下方へ向けてロッド１２１が延出しており、該ロッド１２１の先端部には、小径の小径部１２２が形成されている。該小径部１２２は、ノズル１２３内に設けられたシート部材１２４を貫通するように構成されており、前記小径部１２２の基端に形成された段差部は、前記シート部材１２４の上面に開口する排出側開口部１２５を開閉する排出側弁１２６を構成している。
【０００５】
前記シート部材１２４下部の入力ポート１３１には、前記シート部材１２４の下面に開口した入力側開口部１３２を開閉する入力側弁としてのボール弁１３３が収容されており、該ボール弁１３３は、前記ロッド１２１の小径部１２２によって下方へ付勢されるように構成されている。前記シート部材１２４の上部には、ドレンポート１３４が設けられており、前記シート部材１２４には、外側に連通する出力ポート１３５が形成されている。
【０００６】
これにより、前記ソレノイド１１２非通電時には、入力ポート１３１からの元圧を受けて前記ボール弁１３３が上動するとともに前記ロッド１２１を上動することで、前記ボール弁１３３が前記シート部材１２４の入力側開口部１３２を閉鎖する一方、前記排出側弁部１２６が前記排出側開口部１２５を開放するように構成されており、前記出力ポート１３５に加えられた油圧を出力穴１３６及び排出側開口部１２５を介して前記ドレンポート１３４から排出できるように構成されている。また、前記ソレノイド１１２通電時には、前記プランジャ１１４をコア１１３によって下方へ吸引することで、前記ロッド１２１の小径部１２２で前記ボール弁１３３を下方へ付勢して前記シート部材１２４の入力側開口部１３２を開放しつつ、前記排出側弁部１２６によって前記排出側開口部１２５を閉鎖することで、前記入力ポート１３１からの油圧を前記出力ポート１３５から出力できるように構成されている。
【０００７】
そして、この電磁弁１０１は、前記ソレノイド１１２にオンオフ信号が供給されるように構成されており、オンオフ信号をデューティー制御することによって、前記出力ポート１３５から出力される油圧を制御できるように構成されている。
【発明の開示】
【発明が解決しようとする課題】
【０００８】
しかしながら、このような電磁弁１０１にあっては、ソレノイド１１２非通電時において、ボール弁１３３がシート部材１２４の入力側開口部１３２を閉鎖した状態で、プランジャ１１４のロッド１２１上端と抜け止め用のストッパプレート１４１との間に間隙が形成されるように構成されている。
【０００９】
このため、ソレノイド１１２非通電時において、前記プランジャ１１４は、前記ロッド１２１上端が前記ストッパプレート１４１に当接した状態と、前記ロッド１２１と前記ストッパプレート１４１との間に間隙が形成された状態とが形成され、前記プランジャ１１４から前記コア１１３までの離間距離が、その都度変わってしまう。すると、前記ソレノイド１１２を通電して前記プランジャ１１４を吸引してから前記入力側開口部１３２が開放される間での時間が、その都度異なり、前記ソレノイド１１２に加えるオンオフ信号のデューティー比に対する出力圧が変化するという問題があった。
【００１０】
これを防止する為に、プランジャをコイルスプリングで付勢する構成が知られている（例えば、特許文献１参照。）。
【００１１】
この技術を応用して、図３に示すように、プランジャ１１４の端部に座繰り穴１５１を設けるとともに、この座繰り穴１５１にコイルスプリング１５２を収容して、前記プランジャ１１４を常時下方へ付勢する方法が考えられる。
【００１２】
しかし、この場合、プランジャ１１４のガタを防止する為にコイルスプリング１５２による付勢荷重を大きくしなければならず、入力ポート１３１からの油圧で作動するボール弁１３３による開閉不良が起き易くなるという問題があった。これにより、出力特性の悪化が懸念される。
【特許文献１】特許第３４４２４０５号明細書
【００１３】
本発明は、このような従来の課題に鑑みてなされたものであり、出力特性のさらなる向上を図ることができる電磁弁を提供することを目的とするものである。
【課題を解決するための手段】
【００１４】
前記課題を解決するために本発明の電磁弁にあっては、ソレノイド通電時に励磁されるコアでプランジャを吸引し、該プランジャの軸部に設けられた排出側弁でシート部材に設けられた貫通穴のドレンポート側の排出側開口部を閉鎖し、かつ前記貫通穴の前記入力ポート側の入力側開口部を閉鎖した入力側弁を前記貫通穴を貫通した前記軸部で移動して前記入力側開口部を開放し、前記入力ポートからの元圧を前記貫通穴に連通した出力穴を介して出力ポートから出力する一方、ソレノイド非通電時には、前記入力ポートからの元圧を受けて後退する前記入力側弁によって前記入力側開口部を閉鎖し、前記軸部を介して前記プランジャを前記コアから離れる方向へ移動するとともに、前記軸部に設けられた前記排出側弁を後退して前記排出側開口部を開放し、前記出力ポートの圧力を前記ドレンポートから排出するように構成され、前記ソレノイドに加えるオンオフ信号をデューティー制御して前記出力ポートからの出力圧を制御する電磁弁において、前記軸部に前記入力側弁を固定し、前記元圧を受けた前記入力側弁が後退して前記シート部材に当接した状態で、前記軸部に設けられた前記プランジャの前記コアから離れる方向への移動量を規制した。
【００１５】
すなわち、ソレノイド非通電時において、入力ポートからの元圧を受けて入力側弁が後退してシート部材の入力側開口部を閉鎖した際には、前記入力側弁と共に移動する軸部を介してプランジャがコアから離れる方向へ移動される。
【００１６】
このとき、前記入力側弁は、前記軸部に固定されており、当該入力側弁が前記シート部材に当接した状態で、前記軸部に設けられた前記プランジャの前記コアから離れる方向への移動量が規制される。
【００１７】
このため、前記入力側弁と前記軸部とが独立移動可能に構成され、ソレノイド非通電時において、前記プランジャから前記コアまでの離間距離が、その都度変わってしまう従来と比較して、ソレノイド通電から入力側開口部開放までの時間が常に一定に保たれる。
【発明の効果】
【００１８】
以上説明したように本発明の電磁弁にあっては、プランジャを常時付勢する付勢部材を用いること無く、ソレノイド非通電時におけるプランジャからコアまでの離間距離を、常時一定に保つことができる。
【００１９】
このため、前記プランジャから前記コアまでの離間距離がその都度変わってしまう従来と比較して、ソレノイド通電から入力側開口部開放までの応答時間を一定に保つことができる。したがって、ソレノイドに加えられるオンオフ信号のデューティー比に対する出力圧の変動を防止することができ、出力特性のさらなる向上を図ることができる。
【発明を実施するための最良の形態】
【００２０】
以下、本発明の一実施の形態を図面に従って説明する。図１は、本実施の形態にかかる電磁弁１を示す図であり、該電磁弁１は、例えばオートマチックトランスミッションの油圧回路で油圧を制御するものである。
【００２１】
この電磁弁１のケーシング１１内には、樹脂成型品１２のボビン１３が収容されており、該ボビン１３には、コイル１４が巻回されソレノイド１５が形成されている。該ソレノイド１５の内側空間下部には、コア１６が設けられており、このコア１６の上部には、当該コア１６に吸引されるプランジャ１７が上下動自在に収容されている。
【００２２】
このプランジャ１７の外周部には、前記ケーシング１１の端部が折り返されてなる折り返し部２１が内嵌されており、該折り返し部２１は、ヨークを構成している。前記折り返し部２１の端部側には、閉鎖蓋２２が設けられており、該閉鎖蓋２２によってソレノイド１５端部が閉鎖されている。
【００２３】
前記プランジャ１７の中央部には、円柱状の軸部３１が設けられており、該軸部３１は、固定部材３２によって前記プランジャ１７に固定されている。該プランジャ１７より下方に延出した前記軸部３１は、前記コア１６に設けられた中心穴３３を上下動自在に挿通しており、該中心穴３３の下部には大径穴３４が設けられ弁室３５が形成されている。該弁室３５は、横穴３６を介して前記樹脂成型品１２に設けられたドレンポート３７に連通している。
【００２４】
前記弁室３５に位置する前記軸部３１の部位には、一般部より大径の大径部が設けられ排出側弁４１が形成されている。該排出側弁４１の下部には、シート部材４２が配設されており、該シート部材４２は、前記樹脂成型品１２の下端部が構成するノズル４３にインサート成型されている。
【００２５】
このシート部材４２は、縦方向に貫通した貫通穴５１と、横方向に貫通した出力穴５２とが設けられており、該出力穴５２は、前記貫通穴５１と交差して連通するように構成されている。この出力穴５２は、前記ノズル４３に形成された出力ポート５３に連通しており、該出力ポート５３から制御された出力圧を出力できるように構成されている。
【００２６】
前記貫通穴５１には、前記排出側弁４１より下方へ延出した前記軸部３１が遊嵌した状態で貫通しており、前記貫通穴５１の上部は、前記軸部３１に設けられた前記排出側弁４１で開閉される排出側開口部５５を構成している。
【００２７】
また、前記シート部材４２より下方に延出した前記軸部３１には、小径の小径部６１が設けられており、該小径部６１には、円筒状の入力側弁６２が外嵌した状態で圧入されている。この小径部６１には、抜け止めとしてのプッシュナット６３が固定されており、前記入力側弁６２は、前記小径部６１によって形成された段差部６４と前記プッシュナット６３とで挟持された状態で固定されている。前記貫通穴５１の下部は、前記ノズル４３に形成された入力ポート６５に連通する入力側開口部６６を構成しており、該入力側開口部６６は、前記軸部３１に設けられた前記入力側弁６２で開閉されるように構成されている。
【００２８】
前記入力側弁６２は、該入力側弁６２が前記入力側開口部６６の開口縁に当接して該入力側開口部６６を閉鎖した状態で、前記軸部３１に固定された前記プランジャ１７の前記コア１６から離れる方向への移動量を規制するストッパとしての機能を果たしている。
【００２９】
これにより、図中右側に示したように、ソレノイド通電時７１には、ソレノイド１５によって励磁されるコア１６でプランジャ１７を吸引し、該プランジャ１７の軸部３１に設けられた前記排出側弁４１で前記シート部材４２の前記排出側開口部５５を閉鎖するとともに、前記入力側開口部６６を閉鎖した前記入力側弁６２を下方へ移動して前記入力側開口部６６を開放し、前記入力ポート６５から供給される油圧を前記貫通穴５１に連通した前記出力穴５２を介して前記出力ポート５３から出力できるように構成されている。
【００３０】
一方、図中左側に示したように、ソレノイド非通電時７５には、前記入力ポート６５からの油圧を受けて上方へ後退する前記入力側弁６２によって前記入力側開口部６６を閉鎖し、前記軸部３１を介して前記プランジャ１７を前記コア１６から離れる方向へ移動するとともに、前記軸部３１に設けられた前記排出側弁４１を上方へ後退して前記排出側開口部５５を開放し、前記出力ポート５３に加えられた圧力を前記ドレンポート３７から排出できるように構成されている。
【００３１】
そして、この電磁弁１の前記ソレノイド１５のコイル１４には、接続端子８１を介してオンオフ信号が入力されるように構成されており、このオンオフ信号のオン時間及びオフ時間を可変するデューティー制御を行うことによって、前記出力ポート５３からの出力圧を制御できるように構成されている。
【００３２】
以上の構成にかかる本実施の形態にあっては、ソレノイド非通電７５時において、入力ポート６５からの元圧を受けて入力側弁６２が上方へ後退してシート部材４２の入力側開口部６６を閉鎖した際には、前記入力側弁６２と共に移動する軸部３１を介してプランジャ１７がコア１６から離れる方向へ移動する。
【００３３】
このとき、前記入力側弁６２は、前記軸部３１に固定されており、当該入力側弁６２が前記シート部材４２に当接した状態で、前記軸部３１に設けられた前記プランジャ１７の前記コア１６から離れる方向への移動量を規制することができる。
【００３４】
このため、前記入力側弁６２と前記軸部３１とが独立移動可能に構成され、ソレノイド非通電７５時において、前記プランジャ１７から前記コア１６までの離間距離が、その都度変わってしまう従来と比較して、ソレノイド通電から入力側開口部６６開放までの時間を一定に保つことができる。
【００３５】
このように、前記プランジャ１７を常時付勢する付勢部材を用いること無く、ソレノイド非通電７５時におけるプランジャ１７からコア１６までの離間距離を一定に保ち、ソレノイド通電から入力側開口部６６開放までの応答時間を常に一定に保つことができるため、ソレノイド１５に加えられるオンオフ信号のデューティー比に対する出力圧の変動を防止することができ、出力特性のさらなる向上を図ることができる。
【図面の簡単な説明】
【００３６】
【図１】本発明の一実施の形態を示す断面図ある。
【図２】従来の電磁弁を示す断面図である。
【図３】他の従来例を示す断面図である。
【符号の説明】
【００３７】
１    電磁弁
１５    ソレノイド
１６    コア
１７    プランジャ
３１    軸部
３７    ドレンポート
４１    排出側弁
４２    シート部材
５１    貫通孔
５２    出力穴
５３    出力ポート
５５    排出側開口部
６２    入力側弁
６５    入力ポート
６６    入力側開口部
【図１】
2006125450.tif 000003
【図２】
2006125450.tif 000004
【図３】
2006125450.tif 000005